(57)【要約】【課題】携帯型通信装置それぞれに応じた処理を行うことができるプログラム、データ処理装置、および携帯型通信装置を提供する。【解決手段】コンピュータ３には、装置固有の個体番号ＩＤが割り当てられたＰＤＡ２と通信を行う赤外線送受信部３３と、番組データを取得するチューナ部３２および通信部３４と、記憶装置３６と、赤外線送受信部３３、チューナ部３２および通信部３４による通信を制御し、赤外線送受信部３３を介してＰＤＡ２から受信した、ＰＤＡ２の識別情報としての個体番号ＩＤを含む取得指示に応じてチューナ部３２や通信部３４を介して番組データを取得し、当該番組データを取得指示に含まれる個体番号ＩＤと関連付けて、記憶装置３６に書き込み、赤外線送受信部３３を介してＰＤＡ２から受信した転送指示に応じて、当該転送指示に含まれる個体番号ＩＤに関連付けられて記憶装置３６に書き込まれた番組データを読み出し、当該読み出した番組データを、転送指示に含まれる個体番号ＩＤが割り当てられたＰＤＡに赤外線送受信部３３を介して送信する制御部３７を設ける。【選択図】図２
2005259045.tif 000002
【特許請求の範囲】
【請求項１】
装置固有の識別情報が割り当てられた携帯型通信装置と通信を行うデータ処理装置が実行するプログラムであって、
前記携帯型通信装置から受信した、前記識別情報を含む取得指示に応じて、コンテンツデータを取得する第１の手順と、
前記第１の手順で取得した前記コンテンツデータを、前記取得指示に含まれる前記識別情報と関連付けてメモリに書き込む第２の手順と、
前記携帯型通信装置から受信した転送指示に応じて、当該転送指示に含まれる前記識別情報に関連付けられて前記第２の手順で前記メモリに書き込まれた前記コンテンツデータを読み出す第３の手順と、
前記第３の手順で読み出した前記コンテンツデータを、前記転送指示に含まれる前記識別情報が割り当てられた前記携帯型通信装置に送信する第４の手順と
を前記データ処理装置に実行させるプログラム。
【請求項２】
前記第１の手順は、前記携帯型通信装置から受信した嗜好の指標となる指標データに応じたコンテンツデータを取得し、
前記第２の手順は、前記第１の手順で取得した前記コンテンツデータを、前記取得指示に含まれる前記識別情報と関連付けてメモリに書き込む
請求項１に記載のプログラム。
【請求項３】
装置固有の識別情報が割り当てられた携帯型通信装置と通信を行うデータ処理装置であって、
前記コンテンツデータを取得する第１の通信手段と、
前記携帯型通信装置と通信を行う第２の通信手段と、
メモリと、
前記第１の通信手段および第２の通信手段による通信を制御する制御手段と、を有し、
前記制御手段は、
前記第２の通信手段を介して前記携帯型通信装置から受信した、前記識別情報を含む取得指示に応じて前記第１の通信手段を介してコンテンツデータを取得し、当該コンテンツデータを前記取得指示に含まれる前記識別情報と関連付けて前記メモリに書き込み、前記第２の通信手段を介して前記携帯型通信装置から受信した転送指示に応じて、当該転送指示に含まれる前記識別情報に関連付けられて前記メモリに書き込まれた前記コンテンツデータを読み出し、当該読み出した前記コンテンツデータを、前記転送指示に含まれる前記識別情報が割り当てられた前記携帯型通信装置に前記第２の通信手段を介して送信する
データ処理装置。
【請求項４】
前記制御手段は、前記第２の通信手段を介して前記携帯型通信装置から受信した嗜好の指標となる指標データに基づいて、推奨するコンテンツデータを示す推奨データを生成し、当該推奨データを、前記指標データに含まれる前記識別情報に割り当てられた前記携帯型通信装置に前記第２の通信手段を介して送信する
請求項３に記載のデータ処理装置。
【請求項５】
前記制御手段は、前記第２の通信手段を介して前記携帯型通信装置から受信した嗜好の指標となる指標データに基づいて、前記第１の通信手段を介して前記指標データに応じたコンテンツデータを取得し、当該取得したコンテンツデータを、前記指標データに含まれる前記識別情報に割り当てられた前記携帯型通信装置に前記第２の通信手段を介して送信する
請求項３に記載のデータ処理装置。
【請求項６】
表示手段と、
指示手段と
をさらに有し、
前記制御手段は、前記メモリに書き込まれたコンテンツデータの一覧を示す一覧データの中から、前記携帯型通信装置に転送指示を行うコンテンツデータを前記指示手段を用いて指示させる画面を前記表示手段に表示させ、前記画面に基づいて指示されたコンテンツデータの転送指示を生成する
請求項３に記載のデータ処理装置。
【請求項７】
前記制御手段は、前記メモリに書き込まれたコンテンツデータのうち、前記指示手段により指示されたコンテンツデータを、所定の再生速度で前記表示手段に表示させる
請求項６記載のデータ処理装置。
【請求項８】
コンテンツデータを取得するデータ処理装置と通信を行い、装置固有の識別情報が割り当てられた携帯型通信装置が実行するプログラムであって、
前記コンテンツデータの取得指示を示し、前記識別情報を含む取得指示データを前記データ処理装置に送信する第１の手順と、
前記第１の手順の後、前記データ処理装置から受信した前記識別情報を含む取得指示データに応じたコンテンツデータの一覧を示す一覧データに基づいて、前記一覧データのうちの所望のコンテンツデータの転送指示を示し、前記識別情報を含む転送指示データを前記データ処理装置に送信する第２の手順と、
前記第２の手順の後、前記データ処理装置から受信した前記識別情報を含む転送指示データに応じたコンテンツデータをメモリに書き込む第３の手順と
を前記携帯型通信装置に実行させるプログラム。
【請求項９】
コンテンツデータを取得するデータ処理装置と通信を行い、装置固有の識別情報が割り当てられた携帯型通信装置であって、
メモリと、
前記データ処理装置との間で通信を行う通信手段と、
コンテンツデータの取得指示を示し、前記識別情報を含む取得指示データを前記通信手段を介して前記データ処理装置に送信し、前記通信手段を介して前記データ処理装置から受信した前記識別情報を含む取得指示データに応じたコンテンツデータの一覧を示す一覧データに基づいて、前記一覧データのうちの所望のコンテンツデータの転送指示を示し、前記識別情報を含む転送指示データを前記通信手段を介して前記データ処理装置に送信し、当該識別情報を含む転送指示に応じて前記データ処理装置から受信した前記コンテンツデータを、前記メモリに書き込む制御手段と
を有する携帯型通信装置。
【請求項１０】
前記制御手段は、前記識別情報を含み、嗜好の指標となる指標データを前記通信手段を介して前記データ処理装置に送信し、前記通信手段を介して前記データ処理装置から受信した、前記識別情報を含む指標データに応じた、推奨するコンテンツデータを示す推奨データを前記メモリに書き込む
請求項９記載の携帯型通信装置。
【請求項１１】
前記制御手段は、前記通信手段を介して前記データ処理装置から受信された、前記識別情報を含む指標データに応じたコンテンツデータを前記メモリに書き込む
請求項９に記載の携帯型通信装置。
【発明の詳細な説明】
【技術分野】
【０００１】
本発明は、例えば、コンテンツデータに係わる処理を行うプログラム、データ処理装置、携帯型通信装置に関する。
【背景技術】
【０００２】
従来、例えば下記特許文献１には、コンピュータと携帯型通信装置（例えばＰＤＡ：Personal Digital Assistants）とを用いて赤外線通信を行う通信システムが開示されている。
この通信システムでは、ＰＤＡは、コンピュータと赤外線通信で接続した状態で、コンピュータから受信した録画済番組データを基に、コンピュータからＰＤＡへの転送を希望する番組の指定をユーザから受け、当該指定された番組を示す転送指示データを送信する。
そして、コンピュータは、上記ＰＤＡから受信した転送指示データを基に、内蔵メモリから読み出した番組データを、ＰＤＡで処理可能な形式に変換してＰＤＡに送信する。
【特許文献１】特開２００２−２６２２２０号公報
【発明の開示】
【発明が解決しようとする課題】
【０００３】
ところで、上述したシステムでは、ＰＤＡとコンピュータとが通信を行う際に、コンピュータは個々のＰＤＡを区別していないので、複数のＰＤＡそれぞれに応じた処理を行うことができない。
また、上述したシステムにおいて、利用者は、例えば上述したコンピュータとＰＤＡとを各１台ずつ保有する必要がある。
【０００４】
本発明は、かかる事情に鑑みてなされたものであり、その目的は、携帯型通信装置それぞれに応じた処理を行うことができるプログラム、データ処理装置、および携帯型通信装置を提供することにある。
【課題を解決するための手段】
【０００５】
前記目的を達成するために、本発明の第１の観点のプログラムは、装置固有の識別情報が割り当てられた携帯型通信装置と通信を行うデータ処理装置が実行するプログラムであって、前記携帯型通信装置から受信した、前記識別情報を含む取得指示に応じて、コンテンツデータを取得する第１の手順と、前記第１の手順で取得した前記コンテンツデータを、前記取得指示に含まれる前記識別情報と関連付けてメモリに書き込む第２の手順と、前記携帯型通信装置から受信した転送指示に応じて、当該転送指示に含まれる前記識別情報に関連付けられて前記第２の手順で前記メモリに書き込まれた前記コンテンツデータを読み出す第３の手順と、前記第３の手順で読み出した前記コンテンツデータを、前記転送指示に含まれる前記識別情報が割り当てられた前記携帯型通信装置に送信する第４の手順とを前記データ処理装置に実行させる。
【０００６】
さらに、前記目的を達成するために、本発明の第２の観点のデータ処理装置は、装置固有の識別情報が割り当てられた携帯型通信装置と通信を行うデータ処理装置であって、前記コンテンツデータを取得する第１の通信手段と、前記携帯型通信装置と通信を行う第２の通信手段と、メモリと、前記第１の通信手段および第２の通信手段による通信を制御する制御手段と、を有し、前記制御手段は、前記第２の通信手段を介して前記携帯型通信装置から受信した、前記識別情報を含む取得指示に応じて前記第１の通信手段を介してコンテンツデータを取得し、当該コンテンツデータを前記取得指示に含まれる前記識別情報と関連付けて前記メモリに書き込み、前記第２の通信手段を介して前記携帯型通信装置から受信した転送指示に応じて、当該転送指示に含まれる前記識別情報に関連付けられて前記メモリに書き込まれた前記コンテンツデータを読み出し、当該読み出した前記コンテンツデータを、前記転送指示に含まれる前記識別情報が割り当てられた前記携帯型通信装置に前記第２の通信手段を介して送信する。
【０００７】
本発明の第１の観点のプログラム、および第２の観点のデータ処理装置によれば、第１の手順において、制御手段は第２の通信手段を介して携帯型通信装置から受信した、識別情報を含む取得指示に応じて第１の通信手段を介してコンテンツデータを取得する。
第２の手順において、制御手段は、当該コンテンツデータを取得指示に含まれる識別情報と関連付けてメモリに書き込む。
第３の手順において、制御手段は、第２の通信手段を介して携帯型通信装置から受信した転送指示に応じて、当該転送指示に含まれる識別情報に関連付けられてメモリに書き込まれたコンテンツデータを読み出す。
第４の手順において、制御手段は読み出したコンテンツデータを、転送指示に含まれる識別情報が割り当てられた携帯型通信装置に第２の通信手段を介して送信する。
【０００８】
さらに、前記目的を達成するために、本発明の第３の観点のプログラムは、コンテンツデータを取得するデータ処理装置と通信を行い、装置固有の識別情報が割り当てられた携帯型通信装置が実行するプログラムであって、前記コンテンツデータの取得指示を示し、前記識別情報を含む取得指示データを前記データ処理装置に送信する第１の手順と、前記第１の手順の後、前記データ処理装置から受信した前記識別情報を含む取得指示データに応じたコンテンツデータの一覧を示す一覧データに基づいて、前記一覧データのうちの所望のコンテンツデータの転送指示を示し、前記識別情報を含む転送指示データを前記データ処理装置に送信する第２の手順と、前記第２の手順の後、前記データ処理装置から受信した前記識別情報を含む転送指示データに応じたコンテンツデータをメモリに書き込む第３の手順とを前記携帯型通信装置に実行させる。
【０００９】
さらに、前記目的を達成するために、本発明の第４の観点の携帯型通信装置は、コンテンツデータを取得するデータ処理装置と通信を行い、装置固有の識別情報が割り当てられた携帯型通信装置であって、メモリと、前記データ処理装置との間で通信を行う通信手段と、コンテンツデータの取得指示を示し、前記識別情報を含む取得指示データを前記通信手段を介して前記データ処理装置に送信し、前記通信手段を介して前記データ処理装置から受信した前記識別情報を含む取得指示データに応じたコンテンツデータの一覧を示す一覧データに基づいて、前記一覧データのうちの所望のコンテンツデータの転送指示を示し、前記識別情報を含む転送指示データを前記通信手段を介して前記データ処理装置に送信し、当該識別情報を含む転送指示に応じて前記データ処理装置から受信した前記コンテンツデータを、前記メモリに書き込む制御手段とを有する。
【発明の効果】
【００１０】
本発明によれば、携帯型通信装置それぞれに応じた処理を行うことができるプログラム、データ処理装置、および携帯型通信装置を提供することができる。
【発明を実施するための最良の形態】
【００１１】
本発明の実施の形態について図面を参照して説明する。
【００１２】
図１は、本発明の一実施形態に係る携帯型通信装置およびデータ処理装置を採用した通信システム１の構成図である。
図１に示すように、本実施形態に係る通信システム１は、例えばＰＤＡ２、およびコンピュータ３を有する。
【００１３】
ＰＤＡ２と、コンピュータ３とは、例えば赤外線通信や光通信等の無線方式通信によりデータ送受信を行う。
本実施形態において、ＰＤＡ２が本発明に係る携帯型通信装置に対応し、コンピュータ３が本発明に係るデータ処理装置に相当する。
また、本実施形態において複数のＰＤＡ２それぞれには、装置固有の識別情報（個体番号ＩＤ）が割り当てられている。
なお、本発明に係る通信システム１は複数個のＰＤＡ２を想定するが、説明の簡略化のために本実施形態では２個のＰＤＡ２Ａ，ＰＤＡ２Ｂの場合を説明する。例えばＰＤＡ２ＡおよびＰＤＡ２Ｂを単にＰＤＡ２とも言う。
【００１４】
図２は、図１に示したＰＤＡ２の構成図である。図３は図２に示したＰＤＡの正面側の概観図である。
本実施形態に係るＰＤＡ２は、携帯型の通信装置である。ＰＤＡ２ＡとＰＤＡ２Ｂとの相違点は識別情報としての個体番号ＩＤが異なる点である。詳細には、ＰＤＡ２Ａには識別情報（個体番号ＩＤ＿Ａ）が割り当てられ、ＰＤＡ２Ｂには識別情報（個体番号ＩＤ＿Ｂ）が割り当てられている。以下、ＰＤＡ２Ａを中心に説明する。
【００１５】
ＰＤＡ２Ａは、例えば図２に示すように、赤外線データ送受信部２１、画像音声処理部２２、表示部２３、操作部２４、伸張部２５、記憶装置２６、識別情報記憶部（個体番号）２７、および制御部２８を主構成要素として有する。
ここで例えば、赤外線データ送受信部２１、画像音声処理部２２、伸張部２５、記憶装置２６、および制御部２８は、電子回路によって実現される。
本実施形態において、赤外線データ送受信部２１が本発明の通信手段に対応し、記憶装置２６が本発明のメモリに対応し、制御部２８が本発明の制御手段に対応している。
【００１６】
赤外線データ送受信部２１は、例えば、コンピュータ３と赤外線によるデータ授受を行う。
具体的には、赤外線データ送受信部２１は、制御部２８から入力した送信するデータを赤外線発光ダイオード等の素子を用いて変調し、赤外線信号Ｄｂとしてコンピュータ３に送信する。
また、赤外線データ送受信部２１は、コンピュータ３からの赤外線信号Ｄａをフォトトランジスタダイオード等の素子を用いて受信し、これを復調して制御部２８に出力する。
当該赤外線通信の変調方式としては、例えば、ＩＥＥＥ(Institute of Electronic and Electronics Engineers) １３９４方式に基づく４８０Ｍｂｐｓ（ビット／秒）程度の高速なデータ転送が可能なものを用いる。
【００１７】
画像音声処理部２２は、制御部２８から入力した画像（ビデオ）データおよび音声（オーディオ）データなどで構成される番組データＣ６Ａを表示部２３で処理可能な画像（ビデオ）信号および音声（オーディオ）信号に変換して表示部２３に出力する。
表示部２３は、例えば図３に示すディスプレイ２３１を有し、画像音声処理部２２から入力した画像信号に応じた画面をディスプレイ２３１に表示する。
また、表示部２３は、例えば図示しないスピーカを備え、画像音声処理部２２から入力した音声信号に応じた音声出力を行う。
【００１８】
操作部２４は、例えば図３に示すように、上操作ボタン２４１、左操作ボタン２４２、右操作ボタン２４３、下操作ボタン２４４、確定操作ボタン２４５、戻る操作ボタン２４６、およびメニュー操作ボタン２４７を有し、ユーザの指示に応じた指示信号を制御部２８に出力する。
ここで、上操作ボタン２４１、左操作ボタン２４２、右操作ボタン２４３、下操作ボタン２４４は、例えば、ディスプレイ２３１上に表示されたカ−ソルを画面上でそれぞれ上、左、右、下方向に移動させるボタンである。
確定操作ボタン２４５は、例えば画面上のカーソルの位置を指定するボタンである。
戻る操作ボタン２４６は、画面上での操作を１つ前の状態に戻すためのボタンである。
メニュー操作ボタン２４７は、ディスプレイ２３１上にメニュー画面を表示させるためのボタンである。
なお、操作部２４は、キーボードや表示部２３の画面を利用したタッチパネルなどであって、ユーザの指示に応じた指示信号を制御部２８に出力してもよい。
【００１９】
伸張部２５は、記憶装置２６から読み出した番組データＣ６Ａを、所定の圧縮方法に対応した伸張方法で伸張して制御部２８に出力する。
ここで、番組データＣ６Ａは、画像データおよび音声データから構成される。
当該圧縮方法は、例えば、画像に関してはＭＰＥＧ(Motion Picture Experts Group)２やＭＰＥＧ４のような周知の圧縮・伸張規格に規定されたものである。
また、音声に関しては、ＭＰ３（MPEG Audio Layer-3）や、ＡＡＣ(Advanced Audio Codec)のような周知の圧縮・伸張規格に規定されたものである。
【００２０】
記憶装置２６は、例えば、半導体メモリであり、ＰＤＡ２の外部からアクセスできないように構成されている。
記憶装置２６は、例えば、図２に示すように番組表データＣ１（本発明の一覧データに相当する）、録画希望番組表データ（本発明の取得指示データ）Ｃ２Ａ、録画済番組表データＣ３Ａ、転送希望番組表データ（本発明の転送指示データに相当する）Ｃ４Ａ、転送済番組表データＣ５Ａ、番組データＣ６Ａ（本発明のコンテンツデータに相当する）、およびプログラムＰＲＧ２（本発明のプログラムに相当する）を記憶する。
【００２１】
番組表データＣ１は、コンピュータ３が受信可能な番組データのリストを示している。例えば番組表データＣ１は各ＰＤＡ２に共通のデータである。
番組表データＣ１は、具体的には、放送局名、番組名、開始時間、終了時間などの情報を含んでいる。
番組表データＣ１は、例えば、コンピュータ３を介してサーバから取得されるＥＰＧ（Electronic Program Guide）データを基に生成されてもよい。
録画希望番組表データＣ２Ａは、ＰＤＡ２のユーザの操作により、コンピュータ３に対して録画を希望する番組のリストを示している。
録画済番組表データＣ３Ａは、コンピュータ３が録画を完了した番組のリストを示している。
転送希望番組表データＣ４Ａは、ＰＤＡ２のユーザの操作により、コンピュータ３に対してＰＤＡ２への転送を希望する番組のリストを示している。
転送済番組表データＣ５Ａは、コンピュータ３からＰＤＡ２に既に転送して記憶装置２６に書き込んだ番組のリストを示している。
番組データＣ６Ａは、前述したように、コンピュータ３から転送を受けた番組データである。
プログラムＰＲＧ２は、制御部２８が実行する処理を規定したプログラムである。
【００２２】
識別情報記憶部（個体番号）２７は、例えば携帯型通信装置（ＰＤＡ）２それぞれに固有の識別情報として個体番号ＩＤを記憶する。
識別情報としての個体番号ＩＤは、ＰＤＡ２独自のものであり、例えば図２に示したようにＰＤＡ２Ａの識別情報記憶部２７は個体番号ＩＤ＿Ａを記憶し、ＰＤＡ２Ｂの識別情報記憶部２７は個体番号ＩＤ＿Ｂを記憶する。
識別情報記憶部２７は、例えば不揮発性半導体メモリにより構成され、ＰＤＡ２の製造業者が製品の製造時や出荷時に装置ごとに個別に識別情報として独自番号を割り当てる。なお識別情報は、この実施形態に限られるものではない。例えば識別情報として装置固有の情報であればよい。
また、識別情報記憶部２７が記憶する個体番号ＩＤは、制御部２８により読み出され、コンピュータ３と通信を行う際に送信され  また、識別情報記憶部２７が記憶する個体番号ＩＤは、記憶装置２６に記憶されていてもよい。
【００２３】
制御部２８は、記憶装置２６から読み出したプログラムＰＲＧ２を基に、ＰＤＡ２の各構成要素の処理を統括的に制御する。
制御部２８の機能については、ＰＤＡ２の動作と関連付けて説明する。
【００２４】
図４は、図１に示したコンピュータ３の構成図である。
本実施形態に係るコンピュータ３は、例えば図４に示すように、アンテナ３１、チューナ部３２、赤外線送受信部３３、通信部３４、圧縮部３５、記憶装置３６、および制御部３７を主構成要素として有する。
本実施形態において、通信部３４が本発明に係る第１の通信手段に対応し、赤外線送受信部３３が本発明に係る第２の通信手段に対応し、記憶装置３６が本発明に係るメモリに対応し、制御部３７が本発明に係る制御手段に対応する。
【００２５】
チューナ部３２は、アンテナ３１が受信したアナログ伝送されるテレビジョン放送波を入力し、制御部３７で指定された番組（チャンネル）のベースバンド信号を抽出し、これをデジタル信号に変換すると共に、画像データと音声データとに分離し、これらを制御部３７に出力する。
【００２６】
赤外線送受信部３３は、ＰＤＡ２と赤外線によるデータ授受を行う。
通信部３４は、制御部３７からの指示に応じて、ネットワーク４０を介してサーバ４（本発明のコンテンツデータの提供元）からＥＰＧなどの番組表データを受信（ダウンロード）し、これを制御部３７に出力する。
なお、番組表データは、例えば、チューナ部３２が受信したベースバンド信号のＶＢＩ（VerticalBlankingInterval）に含まれるＥＰＧデータを抽出して取得してもよい。
【００２７】
圧縮部３５は、制御部３７から入力した画像データおよび音声データを上述したＰＤＡ２の伸張部２５で採用する伸張方法に対応した圧縮方法で圧縮し、続いてＰＤＡ２に送信するファイル形式に変換して番組データＣ７（Ａ，Ｂ）として記憶装置３６に書き込む。
【００２８】
記憶装置３６は、例えば図４に示すように、複数のＰＤＡ２毎に割り当てられた記憶領域を有する。この記憶領域は例えばＰＤＡ２の識別情報（個体番号ＩＤ）に基づいて管理される。本実施形態では記憶装置３６は、ＰＤＡ２Ａのための記憶領域３６Ａと、ＰＤＡ２Ｂのための記憶領域３６Ｂとを有する。
【００２９】
記憶装置３６は、例えば１個のハードディスクドライブ（ＨＤＤ）や書き換え可能なディスクメモリ、書き換え可能な半導体メモリ、例えばＳＤＲＡＭ(Synchronous DRAM)等の高速アクセス可能なメモリであり、記憶装置３６内にＰＤＡ２それぞれに割り当てる記憶領域３６Ａ，３６Ｂが設けられてもよい。また、複数のＰＤＡ２それぞれに対応する記憶装置３６を設けてもよい。
【００３０】
本実施形態に係る記憶装置３６は、番組表データＣ１、管理テーブルＴＢ、プログラムＰＲＧ３、ＰＤＡ２Ａに割り当てられた記憶領域３６Ａ内に、録画希望番組表データＣ２Ａ、録画済番組表データＣ３Ａ、転送希望番組表データＣ４Ａ、転送済番組表データＣ５Ａ、および（録画済）番組データＣ７Ａを含み、ＰＤＡ２Ｂに割り当てられた記憶領域３６Ｂ内に、録画希望番組表データＣ２Ｂ、録画済番組表データＣ３Ｂ、転送希望番組表データＣ４Ｂ、転送済番組表データＣ５Ｂ、（録画済）番組データＣ７Ｂをする。
（録画済）番組データＣ７は、例えばチューナ部３２や通信部３４が受信したコンテンツデータである。
【００３１】
図５は、図４に示したコンピュータ３の管理テーブルＴＢを説明するための図である。
管理テーブルＴＢは、ＰＤＡ２それぞれに固有の識別情報としての個体番号ＩＤと、記憶装置３６内の記憶領域を関連付けるデータである。
管理テーブルＴＢは、例えば図５に示すように、個体番号ＩＤ＿Ａと記憶領域３６Ａとを関連付け、個体番号ＩＤ＿Ｂと記憶領域３６Ｂとを関連付ける。詳細には、例えば管理テーブルＴＢは、個体番号ＩＤと記憶装置３６内の記憶領域のアドレスとを関連付ける。
【００３２】
また、記憶領域３６Ａ内には、記憶領域のアドレスを指定するための記憶領域、詳細には、個体番号ＩＤ＿Ａに関連付けれた記録希望番組表記憶用記憶領域Ａ１、個体番号ＩＤ＿Ａに対応する記録済み番組表記憶用記憶領域Ａ２、個体番号ＩＤ＿Ａに対応する転送希望番組表記憶用記憶領域Ａ３、個体番号ＩＤ＿Ａに対応する転送希望番組表記憶用記憶領域Ａ４、および個体番号ＩＤ＿Ａに対応する録画番組記憶用記憶領域Ａ５を有する。
【００３３】
また、記憶領域３６Ｂ内には、記憶領域のアドレスを指定するための記憶領域、詳細には、個体番号ＩＤ＿Ｂに関連付けれた記録希望番組表記憶用記憶領域Ｂ１、個体番号ＩＤ＿Ｂに対応する記録済み番組表記憶用記憶領域Ｂ２、個体番号ＩＤ＿Ｂに対応する転送希望番組表記憶用記憶領域Ｂ３、個体番号ＩＤ＿Ｂに対応する転送希望番組表記憶用記憶領域Ｂ４、および個体番号ＩＤ＿Ｂに対応する録画番組記憶用記憶領域Ｂ５を有する。
【００３４】
制御部３７は、記憶装置３６から読み出したプログラムＰＲＧ３を基に、コンピュータ３の動作を統括的に制御する。
制御部３７の処理については、コンピュータ３の動作例と関連付けて説明する。
【００３５】
図６は、図１に示した通信システム１のデータの流れを説明するための図である。図７は、図１に示した通信システム１の動作を説明するための図である。
図面を参照しながら、ＰＤＡ２の制御部２８、コンピュータ３の制御部３７の動作を中心に説明する。説明の簡略化のために、個体番号ＩＤ＿Ａが割り当てられたＰＤＡ２Ａとコンピュータ３との動作を説明する。また、個体番号ＩＤ＿Ｂが割り当てられたＰＤＡ２Ｂとコンピュータ３間で通信を行う場合にも、動作は同様であるので説明を省略する。
【００３６】
本実施形態においてＰＤＡ２の制御部２８およびコンピュータ３の制御部３７は、赤外線データ送受信部２１と赤外線送受信部３３との間の赤外線通信が可能になったか否かを常時監視している。
例えば赤外線データ送受信部２１と赤外線送受信部３３とを赤外線通信が可能に配置する。好適には赤外線通信を確実に行わせるためにコンピュータ３に凹部を形成し、この凹部にＰＤＡ３を配置すると、赤外線データ送受信部２１と赤外線送受信部３３とが赤外線通信を行うようにすることが好ましい。
【００３７】
ステップＳＴ２０１において、ＰＤＡ２の制御部２８は、例えばユーザが操作部２４を操作して、操作部２４からコンピュータ３にアクセスさせる信号が入力されると、識別情報記憶部２７から読み取った個体番号ＩＤ＿Ａを赤外線データ送受信部２１を介して、信号Ｄｂとしてコンピュータ３に送信する。
【００３８】
ステップＳＴ３０１において、コンピュータ３の制御部３７は、赤外線送受信部３３を介して識別情報としての個体番号ＩＤ＿Ａを受信すると、後述する個体番号に応じた処理を行う。
【００３９】
図８は、図１に示したコンピュータ３の動作の一具体例を説明するための図である。
図８に示すように、コンピュータ３の制御部３７は、赤外線送受信部３３を介して識別情報としての個体番号ＩＤ＿Ａを受信すると（ＳＴ３０１１）、例えば記憶装置３６内の管理テーブルＴＢを基に、受信した個体番号ＩＤ＿Ａが初めての個体番号であるか否か、つまり管理テーブルＴＢ内に記憶されているか否かを判別する（ＳＴ３０１２）。
【００４０】
コンピュータ３の制御部３７は、初めての個体番号であると判別した場合には、受信した個体番号ＩＤ＿Ａを、記憶装置３６内の管理テーブルＴＢに登録し（ＳＴ３０１３）、個体番号ＩＤ＿Ａに対応した各種番組表や録画番組を記憶させるための記憶領域３６Ａを確保する（ＳＴ３０１４）。また制御部３７は、管理テーブルＴＢ内に、個体番号ＩＤ＿Ａと、記憶装置３６に確保した記憶領域内の各種番組表データや録画番組データを確保したアドレスとを関連付けて記憶する。
ステップＳＴ３０１５において、制御部３７は、個体番号ＩＤ＿Ａに対応した記憶領域３６Ａに対し、書き込みや読み出し可能に設定し図７に示すステップＳＴ３０２の処理に進む。
【００４１】
一方、ステップＳＴ３０１２において、制御部３７は、初めての個体番号でないと判別した場合にもステップＳＴ３０１５の処理に進む。
【００４２】
図７に示すように、ステップＳＴ３０２において、コンピュータ３の制御部３７は、例えば、記憶装置３６内の番組表データＣ１を赤外線送受信部３３を介してＰＤＡ２に送信する。
【００４３】
ステップＳＴ２０２において、ＰＤＡ２の制御部２８は、赤外線データ送受信部２１を介して受信した番組表データＣ１を、記憶装置２６に書き込む。コンピュータ３の制御部３７は、所定のタイミングで番組表データを取得して、最新の番組表データＣ１に更新することが好ましい（ＳＴ３０３）。
【００４４】
ステップＳＴ２０３において、制御部２８は、ユーザによる操作部２４の操作に応じて、表示部２３のディスプレイ２３１上に番組表データＣ１を出力し、録画希望番組が選択されると、選択された録画希望番組を録画希望番組表データＣ２Ａとして記憶装置２６に登録する。以下図面を参照しながら詳細に説明する。
【００４５】
図９は、図３に示したＰＤＡの表示部のディスプレイに表示されるメニュー画面を説明するための図である。
ステップＳＴ２０３において、ＰＤＡ２の制御部２７は、ユーザが操作部２４を操作することにより、例えば図３に示すメニュー操作ボタン２４７をユーザが押下すると、制御部２８は、図９に示すメニュー画面５０１をディスプレイ２３１に表示させる。
メニュー画面５０１は、例えば転送済番組再生項目５０２、録画希望番組設定項目５０３、および転送希望番組設定項目５０４の各項目が１行で表示されている。
【００４６】
ユーザは、例えば図３に示す上操作ボタン２４１と下操作ボタン２４４を押すことにより、希望する項目行の選択を行って指定する項目の上にカ−ソルを合わせ、確定操作ボタン２４５を押すことにより、その項目の指定を行い、その項目に対応した処理を制御部２８が行う。
【００４７】
図１０は、図３に示したＰＤＡの表示部のディスプレイに表示される録画希望番組日付選択画面を説明するための図である。
ユーザが、図９に示すメニュー画面５０１内で録画希望番組設定項目５０３上にカーソルを位置させ、確定操作ボタン２４５を押すと、制御部２８は、図１０に示すように、ディスプレイ２３１上に録画希望番組日付選択画面６０２を表示させる。
このとき、制御部２８は、記憶装置２６から読み出した番組表データＣ１を基に、番組表の日付を指定する画面６０２をディスプレイ２３１に表示する。
そして、画面６０２において、日付が指定されると、制御部２８は、その指定された日付における各時間帯の番組の録画指示を行うための録画希望番組設定画面をディスプレイ２３１に表示させる。
ユーザは、図３に示す上操作ボタン２４１および下操作ボタン２４４を押して、録画希望番組のあるチャンネルを指定する。
【００４８】
図１１は、図３に示したＰＤＡの表示部のディスプレイに表示される録画希望番組設定画面を説明するための図である。
制御部２８は、記憶装置２６から読み出した番組表データＣ１を基に、上記指定されたチャンネルの番組表を、図１１に示すように表示する録画希望番組設定画面６１０をディスプレイ２３１に表示する。
録画希望番組設定画面６１０は、図１１に示すように、指定されたチャンネルについての番組名を、その開始日時、終了日時と共に示している。
ユーザは、上操作ボタン２４１と下操作ボタン２４４とを押して、録画を希望する番組の行にカーソルを位置させ、確定操作ボタン２４５を押す。これにより制御部２８は、録画希望番組設定画面６１０の右側に位置する録画有無の項目に、録画を示す「Ｒ」を表示させる。
また、制御部２８は、録画希望番組表データＣ２Ａに、当該指定された番組の識別データを追加する。
ディスプレイ２３１には、図１１に示すように、例えば、８番組についての項目が同時に表示される。そして、ユーザが、最下項目にカ−ソルを位置させた状態で、下操作ボタン２４４を押すことで、その下の項目がディスプレイ２３１に表示される。
【００４９】
図１２は、図３に示したＰＤＡの表示部のディスプレイに表示される録画希望番組表画面を説明するための図である。
ユーザは、図１１に示す録画希望番組設定画面６１０が表示された状態で、確定操作ボタン２４５を所定の時間以上押しつづけると、制御部２８は、図１２に示す録画希望番組表画面６１２をディスプレイ２３１に表示させる。
ユーザは、録画希望番組表画面６１２を基に、自らが録画予約した番組を知ることができる。
また、ユーザは、図１１に示す録画希望番組設定画面６１０上で、上操作ボタン２４１および下操作ボタン２４４を押下して、録画希望を取り消す番組を指定し、確定操作ボタン２４５を押下する。制御部２８は、当該指定された番組の識別データを、録画希望番組表データＣ２Ａから削除する。
【００５０】
ステップＳＴ２０４において、ＰＤＡ２の制御部２８は、個体番号ＩＤ＿Ａを含む録画希望番組表データＣ２Ａを、赤外線データ送受信部２１を介して、コンピュータ３に送信する。
ステップＳＴ３０４において、コンピュータ３の制御部３７は、赤外線送受信部３３を介して、個体番号ＩＤ＿Ａを含む録画希望番組表データＣ２Ａを受信し、管理テーブルＴＢに基づいて、記憶装置３６内の記憶領域３６Ａ内に書き込む。
【００５１】
ステップＳＴ３０５において、コンピュータ３の制御部３７は、最新の番組表データＣ１を赤外線送受信部３３を介してＰＤＡ３に送信する。
ＰＤＡ２の制御部２８は、赤外線データ送受信部２１を介して受信した最新の番組データＣ１を記憶装置２６に書き込む（ＳＴ２０５）。また、ＰＤＡ２の制御部２８は、ステップＳＴ２０５で得られた最新番組表データＣ１を基に、必要に応じて録画希望番組表データＣ２Ａの更新を行う（ＳＴ２０６）。
【００５２】
ステップＳＴ３０６において、コンピュータ３の制御部３７は、録画希望番組表データＣ２Ａに基づいて、例えばアンテナ３１およびチューナ部３２を介して番組を録画することでコンテンツデータを取得し、管理テーブルＴＢに基づいて記憶装置３６の内の個体番号ＩＤ＿Ａと関連付けられた録画番組記憶用記憶領域Ａ５に、（録画済）番組データＣ７Ａとして記憶する。
【００５３】
図１３は、図１に示した通信システム１の動作を説明するための図である。
ステップＳＴ２０７において、ＰＤＡ２の制御部２８は、個体番号ＩＤ＿Ａを含む録画希望番組表データＣ２Ａを、赤外線データ送受信部２１を介して、コンピュータ３に送信する。
ステップＳＴ３０７において、コンピュータ３の制御部３７は、赤外線送受信部３３を介して、個体番号ＩＤ＿Ａを含む録画希望番組表データＣ２Ａ（取得指示）を受信し、記憶領域３６Ａを確保した後、管理テーブルＴＢに基づいて、個体番号ＩＤ＿Ａと関連付けて録画希望番組表データＣ２Ａを記憶装置３６内の記憶領域３６Ａ内に書き込む。
【００５４】
ステップＳＴ３０８において、コンピュータ３の制御部３７は、個体番号ＩＤ＿Ａに関する記憶領域３６Ａ内に記憶されている（録画済）番組データＣ７Ａの一覧を示す録画済番組表データＣ３Ａを、赤外線送受信部３３を介して個体番号ＩＤ＿Ａが割り当てられたＰＤＡ２Ａに送信する。ＰＤＡ２の制御部２８は、赤外線データ送受信部２１を介してコンピュータ３から受信した録画済番組表データＣ３Ａを記憶装置２６に書き込む（ＳＴ２０８）。
【００５５】
ステップＳＴ３０９，ＳＴ２０９において、ＰＤＡ２およびコンピュータ３の各制御部は、ステップＳＴ３０５，ＳＴ２０５と同様に最新番組表データＣ３Ａを、ＰＤＡ２からコンピュータ３に送信し、コンピュータ３から受信した最新番組表データＣ３Ａを記憶装置２６に書き込む。
【００５６】
ステップＳＴ３１０において、コンピュータ３の制御部３７は、赤外線データ送受信部３３を介してＰＤＡ２Ａから受信した、ＰＤＡ２Ａの個体番号ＩＤ＿Ａを含む録画希望番組表データＣ２Ａ（取得指示）取得指示に応じて、番組データ（コンテンツデータ）を取得（録画）する。
ステップＳＴ３１１において、制御部３７は、ステップＳＴ３１０で取得した番組データ（コンテンツデータ）を、取得指示に含まれる個体番号ＩＤ＿Ａと関連付けて記憶装置３６に書き込む。つまり制御部３７は、管理テーブルＴＢに基づいて、ステップＳＴ３１０で取得した番組データ（コンテンツデータ）を、取得指示に含まれる個体番号ＩＤ＿Ａと関連付けて記憶装置３６に書き込む。
【００５７】
ステップＳＴ３１２において、制御部３７は、番組表データＣ１の更新を行い、取得した番組データ（コンテンツデータ）に基づいて録画済番組表データＣ３Ａの更新を行う。
【００５８】
ステップＳＴ２１０において、ＰＤＡ２の制御部２８は、上述したように録画希望番組データを生成する。
また、制御部２８は、録画済番組データＣ３を基に、コンピュータ３から転送を希望する転送希望番組表データＣ４を生成する。以下、図面を参照しながら詳細に説明する。
【００５９】
図１４は、図３に示したＰＤＡの表示部のディスプレイに表示される録画済番組表画面を説明するための図である。図１５は、図３に示したＰＤＡの表示部のディスプレイに表示される転送希望番組表画面を説明するための図である。図１６は、図３に示したＰＤＡの表示部のディスプレイに表示される転送済番組表画面を説明するための図である。
【００６０】
例えば、ユーザが図９に示すメニュー画面５０１上で転送希望番組設定項目５０４を指定した場合を説明する。
この場合に、制御部２８は、図１４に示すように、記憶装置２６から読み出した録画済番組表データＣ３Ａを基に、ディスプレイ２３１上に録画済番組表画面６１３を表示させる。
図１４に示すように、録画済番組表画面６１３は、番組名、チャンネル番号（ｃｈ）、番組の開始日時、番組の終了日時、転送希望の有無を示す項目を各行毎に、各番組毎に示している。
ユーザは、図３に示す上操作ボタン２４１および左操作ボタン２４２を押して、録画済番組表画面６１３上で、転送希望の番組を指定し、確定操作ボタン２４５を押下する。
これにより、制御部２８は、当該指定された転送希望番組の項目に、転送を示す「Ｔ」を表示する。
また、制御部２８は、上記指定された番組の識別データを転送希望番組表データＣ４Ａに追加する。
【００６１】
ユーザは、図１４に示す録画済番組表画面６１５が表示された状態で、確定操作ボタン２４５を所定の時間以上押しつづけると、制御部２８は、図１５に示す転送希望番組表画面６１４をディスプレイ２３１に表示させる。
ユーザは、転送希望番組表画面６１４を基に、自らが転送予約した番組を知ることができる。
また、ユーザは、図１４に示す録画済番組表画面６１３上で、上操作ボタン２４１および下操作ボタン２４４を押下して、転送希望を取り消す番組を指定し、確定操作ボタン２４５を押下する。制御部２８は、当該指定された番組の識別データを、転送済番組表データＣ５Ａから削除する。
【００６２】
また、ユーザは、図１６に示す録画済番組表画面６１３上で、上操作ボタン２４１および下操作ボタン２４４を押下して、転送希望を取り消す番組を指定し、確定操作ボタン２４５を押下する。制御部２８は、当該指定された番組の識別データを、転送済番組表データＣ５から削除する。
【００６３】
図１７は、図１に示した通信システム１の動作を説明するための図である。
ステップＳＴ２１１において、ＰＤＡ２の制御部２８は、個体番号ＩＤ＿Ａを含む転送希望番組データＣ４Ａを赤外線データ送受信部２１を介して、コンピュータ３に送信する。
ステップＳＴ３１３において、コンピュータ３の制御部３７は、赤外線送受信部３３を介して、個体番号ＩＤ＿Ａを含む転送希望番組データＣ４Ａを受信すると、個体番号ＩＤ＿Ａに応じて記憶領域３６Ａを確定した後、管理テーブルＴＢに基づいて、個体番号ＩＤ＿Ａと関連付けて録画希望番組表データＣ２Ａを記憶装置３６内の記憶領域３６Ａ内に書き込む。
【００６４】
ステップＳＴ３１４において、コンピュータ３の制御部３７は、ステップＳＴ２１１において、ＰＤＡ２から受信した転送指示に応じて、当該転送指示に含まれる個体番号ＩＤ＿Ａに関連付けられて記憶装置３６に書き込まれた番組データＣ７Ａを、転送希望番組データとして読み出す。
【００６５】
ステップＳＴ３１５において、コンピュータ３の制御部３７は、ステップＳＴ３１４で読み出した転送希望番組データ（番組データＣ７Ａ）を、転送指示に含まれる個体番号ＩＤ＿Ａが割り当てられたＰＤＡ２Ａに、赤外線送受信部３３を介して送信する。
【００６６】
ステップＳＴ２１２において、ＰＤＡ２Ａの制御部２８は、赤外線データ送受信部２１を介してコンピュータ３から受信した、転送希望番組データ（番組データＣ７Ａ）を受信し、記憶装置２６に（転送済）番組データＣ６Ａとして書き込む。
【００６７】
ステップＳＴ３１６において、コンピュータ３の制御部３７は、転送した番組データＣ７Ａに基づいて、転送済番組表データＣ５Ａを生成し、転送済番組表データＣ５Ａを赤外線送受信部３３を介して、転送指示に含まれる個体番号ＩＤ＿Ａが割り当てられたＰＤＡ２Ａに送信する。
【００６８】
ステップＳＴ２１３において、ＰＤＡ２Ａの制御部２８は、赤外線データ送受信部２１を介してコンピュータ３から受信した、転送済番組表データＣ５Ａを、記憶装置２６に書き込む。
【００６９】
また、ステップＳＴ２１４において、ＰＤＡ２Ａの制御部２８は、ステップＳＴ２１０で生成した、個体番号ＩＤ＿Ａを含めた録画希望番組表データＣ２Ａを赤外線データ送受信部２１を介してコンピュータ３に送信する。
【００７０】
ステップＳＴ３１７において、コンピュータ３の制御部３７は、赤外線送受信部３３を介してＰＤＡ２Ａから受信した、個体番号ＩＤ＿Ａを含む録画希望番組表データＣ２Ａを受信し、管理テーブルＴＢを基に記憶装置３６の記憶領域３６Ａに、個体番号ＩＤ＿Ａと関連付けて録画希望番組表データＣ２Ａを書き込む。
【００７１】
ステップＳＴ３１８において、コンピュータ３の制御部３７は、記憶装置３６に書き込まれた番組データＣ７Ａを基に、最新の録画済番組表データＣ３Ａを生成して、生成した最新の録画済番組表データＣ３Ａを赤外線送受信部３３を介してＰＤＡ２Ａに出力する。
【００７２】
ステップＳＴ２１５において、ＰＤＡ２Ａの制御部２８は、赤外線データ送受信部２１を介してコンピュータ３から受信した、最新の録画済番組表データＣ３Ａを、記憶装置２６に書き込む。
【００７３】
ステップＳＴ３１９において、コンピュータ３の制御部３７は、例えばチューナ部３２や通信部３４を介して受信したデータを基に、最新の番組表データＣ１を更新し、最新の番組表データＣ１を赤外線送受信部３３を介してＰＤＡ２Ａに出力する。
【００７４】
ステップＳＴ２１６において、ＰＤＡ２Ａの制御部２８は、赤外線データ送受信２１を介してコンピュータ３から受信した、最新の番組表データＣ１を記憶装置２６に書き込む。
【００７５】
ステップＳＴ２１７において、ＰＤＡ２Ａの制御部２８は、例えば操作部２４から、ユーザによる操作に応じた再生指示を示す信号が入力されると、記憶装置２６が記憶する（転送済）番組データＣ６Ａの再生を行い、つまり画像音声処理部２２、表示部２３を介して番組データＣ６Ａを出力する。
また、制御部２８は、上述したように録画希望番組表データＣ２Ａおよび転送希望番組表データＣ４Ａの作成を行う。
【００７６】
ステップＳＴ３２０において、コンピュータ３の制御部３７は、番組表データＣ１の更新や、録画希望番組表データＣ２Ａに基づいて、チューナ部３２や通信部３４を介してコンテンツデータを取得し、つまり録画を行い、録画済番組表データＣ３Ａの更新を行う。
【００７７】
この状態で、本実施形態に係る通信システム１は定常状態になり、次回にコンピュータ３およびＰＤＡ２Ａが通信を開始するときは、ステップＳＴ３１３およびステップＳＴ２１１から開始する。
【００７８】
その他のＰＤＡ２とコンピュータ３間で通信を行う際の動作も略同様なので、説明を省略する。
【００７９】
以上説明したように、本実施形態のコンピュータ（データ処理装置）３は、装置固有の識別情報（個体番号ＩＤ）が割り当てられた携帯型通信装置（ＰＤＡ）２と通信を行う赤外線送受信部３３と、コンテンツデータ（番組データ）を取得するチューナ部３２および通信部３４と、記憶装置３６と、赤外線送受信部３３、チューナ部３２および通信部３４による通信を制御し、赤外線送受信部３３を介してＰＤＡ２から受信した、ＰＤＡ２の識別情報としての個体番号ＩＤを含む取得指示（録画希望番組表データＣ２）に応じてチューナ部３２や通信部３４を介して番組データ（コンテンツデータ）を取得し、当該コンテンツデータを前記取得指示に含まれる個体番号ＩＤと関連付けて、管理テーブルＴＢを基に記憶装置３６の、識別情報（個体番号ＩＤ）に対応する記憶領域に書き込み、赤外線送受信部３３を介してＰＤＡ２から受信した転送指示（転送希望番組表データＣ４）に応じて、管理テーブルＴＢを参照して、当該転送指示に含まれる識別情報（個体番号ＩＤ）に関連付けられて記憶装置３６の個体番号ＩＤに対応する記憶領域に書き込まれたコンテンツデータを読み出し、当該読み出したコンテンツデータを、転送指示に含まれる個体番号ＩＤが割り当てられたＰＤＡに赤外線送受信部３３を介して送信する制御部３７を設けたので、携帯型通信装置（ＰＤＡ）それぞれに応じた処理、例えば各ＰＤＡに応じたコンテンツデータの取得や転送を行うことができる。
【００８０】
また、本実施形態に係る携帯型通信装置（ＰＤＡ）２は、番組データ（コンテンツデータ）を取得するデータ処理装置（コンピュータ３）との間で通信を行う赤外線データ送受信部２１と、記憶装置２６と、装置固有の識別情報（個体番号ＩＤ）を記憶する識別情報記憶部２７と、コンテンツデータの取得指示を示し、識別情報（個体番号ＩＤ）を含む取得指示データを赤外線データ送受信部２１を介してコンピュータ３に送信し、赤外線データ送受信部２１を介してコンピュータ３から受信した識別情報（個体番号ＩＤ）を含む取得指示データに応じたコンテンツデータの一覧を示す一覧データ（録画済番組表データＣ３Ａ）に基づいて、一覧データのうちの所望のコンテンツデータの転送指示を示し、識別情報を含む転送指示データ（転送希望番組表データＣ４Ａ）を赤外線データ送受信部２１を介してコンピュータ３に送信し、当該識別情報を含む転送指示に応じてコンピュータ３から受信したコンテンツデータを、記憶装置２６に書込む制御部２８とを設けたので、本発明に係るコンピュータ３と通信を行い、各ＰＤＡに応じたコンテンツデータの送受信を行うことができる。
【００８１】
また、上述したコンピュータ３やＰＤＡ２の各制御部の処理の手順は、この形態に限られるものではない。
【００８２】
また、本実施形態に係るコンピュータ３は、図２に示すようにチューナ部３２や通信部３４それぞれを１個設けたが、この形態に限られるものではない。例えば、チューナ部３２や通信部３４それぞれを２個以上設け、同時に２つ以上の番組を録画してもよい。こうすることによりコンテンツデータの取得速度が向上する。
また、本実施形態に係るコンピュータ３には、１個の赤外線送受信部３３を設けたがこの形態に限られるものではない。例えばコンピュータ３に赤外線送受信部３３を２個以上設けてもよい。コンピュータ３の制御部３７は、複数の赤外線送受信部３３を制御して、複数のＰＤＡ２とのデータ通信を並列処理してもよい。
【００８３】
また、コンピュータ３の制御部３７は、コンテンツデータの取得中にＰＤＡ、情報提供装置と携帯型情報端末が通信を行うことも、本発明に含まれる。
【００８４】
また、本実施形態においては録画希望番組作成や転送希望番組表作成はＰＤＡ２がコンピュータ３と通信していないときに行うように説明を行ったが、これはＰＤＡ２は本来持ち出すものであり、例えば出先で番組表作成を行うことを想定したものであって、制御部２８、制御部３７の処理を変更することにより、例えばＰＤＡ２がコンピュータ３に装着されており通信が可能な状態においても、ユーザの番組表作成は可能となり、かつ変更した番組表データをコンピュータ３に送信することも可能となる。
【００８５】
図１８は、本発明の第２実施形態に係るコンピュータの機能ブロック図である。
第２実施形態は、第１実施形態と比べて、ユーザの嗜好の指標となる指標データ（キーワード）と、その指標データに応じて、推奨するコンテンツデータを示す推奨データ（お勧め番組表データ）を生成する点に特徴がある。
以下、図面を参照しながら第１実施形態との相違点を中心に説明する。
【００８６】
本実施形態に係るコンピュータ３は、例えば図１８に示すように、アンテナ３１、チューナ部３２、赤外線送受信部３３、通信部３４、圧縮部３５、記憶装置３６、および制御部３７ａを主構成要素として有する。
記憶装置３６は、識別情報（個体番号ＩＤ）に応じた記憶領域それぞれにキーワードＣ８（Ｃ８Ａ，Ｃ８Ｂ）、およびキーワードＣ８（Ｃ８Ａ，Ｃ８Ｂ）に応じたお勧め番組表データＣ９（Ｃ９Ａ，Ｃ９Ｂ）を記憶する。
本実施形態に係る記憶装置３６は、例えば識別情報（個体番号ＩＤ＿Ａ）に応じた記憶領域３６ＡにキーワードＣ８Ａ、およびキーワードＣ８Ａに応じたお勧め番組表データＣ９Ａを記憶し、識別情報（個体番号ＩＤ＿Ｂ）に応じた記憶領域３６ＢにキーワードＣ８Ｂ、およびキーワードＣ８Ｂに応じたお勧め番組表データＣ９Ｂを記憶する。
本実施形態に係る制御部３７ａは、赤外線送受信部３３を介してＰＤＡ２から受信した嗜好の指標となる指標データ（キーワードＣ８）に基づいて、推奨するコンテンツデータを示す推奨データ（お勧め番組表データ）を生成し、その推奨データ（お勧め番組表データ）をキーワードＣ８に含まれる識別情報（個体番号ＩＤ）に割り当てられたＰＤＡ２に赤外線送受信部３３を介してＰＤＡ２に送信する。
【００８７】
図１９は、第２実施形態に係るキーワードとお勧め番組表データの一具体例を示すデータである。図１９（Ａ）は第２実施形態に係るキーワードの一具体例である。図１９（Ｂ）に示したキーワードに関連した、お勧め番組表データの一具体例を示す図である。
【００８８】
キーワードＣ８は、ユーザの嗜好を反映し、ユーザの嗜好の指標となるデータであり、例えば図１９（Ａ）に示すように「スポーツ」や「ドラマ」、「ニュース」等のキーワードである。
お勧め番組表データＣ９は、例えば番組表データＣ１に含まれる、番組の種類を示す種類データや、出演者を示す出演者データや、番組の内容を示す内容データ等のメタデータに基づいて、制御部３７ａが生成した、キーワードＣ８に関連する番組を示す番組データの一覧を示すデータである。例えばキーワードＣ８が「スポーツ」の場合には、制御部３７ａはメタデータに基づいて、番組表データＣ１のうち、スポーツに関連する番組データを示すデータの一覧を抽出して、図１９（Ｂ）に示すようなお勧め番組表データＣ９を生成する。
【００８９】
図２０は、本発明の第２実施形態に係るＰＤＡの機能ブロック図である。
本実施形態に係るＰＤＡ２は、例えば図２０に示すように、赤外線データ送受信部２１、画像音声処理部２２、表示部２３、操作部２４、伸張部２５、記憶装置２６、識別情報記憶部（個体番号）２７、および制御部２８ａを主構成要素として有する。
【００９０】
本実施形態に係る記憶装置２６は、例えば識別情報（個体番号ＩＤ＿Ａ）に応じた記憶領域３６ＡにキーワードＣ８Ａ、およびキーワードＣ８Ａに応じたお勧め番組表データＣ９Ａを記憶し、識別情報（個体番号ＩＤ＿Ｂ）に応じた記憶領域３６ＢにキーワードＣ８Ｂ、およびキーワードＣ８Ｂに応じたお勧め番組表データＣ９Ｂを書き込む。
【００９１】
制御部２８ａは、識別情報（個体番号ＩＤ）を含み、嗜好の指標となる指標データを赤外線データ通信部２１を介してコンピュータ３に送信し、赤外線データ通信部２１を介してコンピュータ３から受信した、識別情報（個体番号ＩＤ）を含む指標データ（キーワード）Ｃ８に応じた、推奨するコンテンツデータを示す推奨データ（お勧め番組表データ）Ｃ９を記憶装置２６に書き込む。
また、制御部２８ａは、ユーザによる操作部２４の操作に応じた信号を基に、記憶装置２６に記憶されたお勧め番組表データＣ９のうちから、所望の転送指示データ（転送希望番組表データ）Ｃ７を生成する。
【００９２】
図２１は、図１８〜図２０に示した本発明の第２実施形態に係るコンピュータ３およびＰＤＡ２Ａのデータの流れを説明するための図である。図２２は、図１８〜図２０に係るコンピュータ３およびＰＤＡの動作を説明するための図である。図２１，２２を参照しながら、コンピュータ３およびＰＤＡ２Ａそれぞれの制御部の動作を中心に説明する。
【００９３】
図２２に示すように、ステップＳＴ２３１において、ＰＤＡ２の制御部２８ａは、ユーザによる操作に応じて操作部２４から、ユーザの嗜好を示す信号を基に、ユーザの嗜好を示す指標データ（キーワード）Ｃ８Ａを生成し、記憶装置２６に書き込む。この際、制御部２８ａは、例えば予め複数のキーワードを設定しておき、操作部２４からの信号に応じて、その複数のキーワードのうちから所望のキーワードを選択することでキーワードＣ８Ａを生成してもよい。
【００９４】
ステップＳＴ２３２において、ＰＤＡ２の制御部２８ａは、記憶装置２６に書き込まれたキーワードＣ８Ａを読み出して、識別情報（個体番号ＩＤ＿Ａ）を含むキーワードＣ８Ａを、赤外線データ送受信部２１を介してコンピュータ３に送信する。
【００９５】
ステップＳＴ３３１において、コンピュータ３の制御部３７ａは、赤外線送受信部３３を介して、ＰＤＡ２Ａから個体番号ＩＤ＿Ａを含むキーワードＣ８Ａを受信すると、管理テーブルＴＢを基に記憶領域を確定し、記憶装置３６内の個体番号ＩＤ＿Ａに対応する記憶領域３６ＡにキーワードＣ８Ａを書き込む。
【００９６】
ステップＳＴ３３２において、制御部３７ａは、嗜好の指標となる指標データ（キーワードＣ８Ａ）に基づいて、上述したように推奨データ（お勧め番組表データＣ９Ａ）を生成して記憶領域３６Ａに書き込む。
具体的には、例えば制御部３７ａは、定期的に更新され記憶されている番組表データＣ１内の番組情報とキーワードＣ８Ａに基づいて、ユーザの好みに合うと思われる番組を抽出したお勧め番組表データＣ９Ａを生成する。
【００９７】
ステップＳＴ３３３において、制御部３７ａは、記憶領域３６Ａに書き込まれたお勧め番組表データＣ９Ａを、赤外線送受信部３３を介して、ステップＳＴ３３１のキーワードＣ８Ａに含まれた個体番号ＩＤ＿Ａが割り当てられたＰＤＡ２Ａに送信する。
【００９８】
ステップＳＴ２３３において、ＰＤＡ２Ａの制御部２８ａは、赤外線データ送受信部２１を介してコンピュータ３から、お勧め番組表データＣ９Ａを受信する。
ステップＳＴ２３４において、制御部２８ａは、お勧め番組表データＣ９Ａ、およびユーザの操作に応じて操作部２４から入力された信号を基に、録画希望番組表データＣ２Ａを生成する。
【００９９】
また、ステップＳＴ３３４において、コンピュータ３の制御部３７ａは、番組表データＣ１を更新し、更新した番組表データＣ１とキーワードＣ８Ａに基づいて、お勧め番組表データＣ９Ａを更新する。
【０１００】
ステップＳＴ２３５において、ＰＤＡ２Ａの制御部２８ａは、赤外線データ送受信部２１を介して、識別情報（個体番号ＩＤ＿Ａ）を含む録画希望番組表データＣ２Ａをコンピュータ３に送信する。
【０１０１】
ステップＳＴ３３５において、コンピュータ３の制御部３７ａは、赤外線送受信部３３を介してＰＤＡ２Ａから録画希望番組表データＣ２Ａを受信すると、管理テーブルＴＢに基づいて記憶領域を確保して、記憶装置３６内の識別情報に対応する記憶領域３６Ａに書き込む。
ステップＳＴ３３６において、コンピュータ３の制御部３７ａは、ステップＳＴ３３４において更新したお勧め番組表データＣ９Ａを、赤外線送受信部３３を介して、ＰＤＡ２Ａに送信する。
【０１０２】
ステップＳＴ２３６において、ＰＤＡ２Ａの制御部２８ａは、赤外線データ送受信部２１を介して受信した、お勧め番組表データＣ９Ａを、記憶装置２６に書き込む。
【０１０３】
なお、図示しないが、例えばステップＳＴ２３４において、制御部２８ａがキーワードの変更を行った場合には、ステップＳＴ２３５において、制御部２８ａは、新しいキーワードを送信し、コンピュータ３の制御部３７ａは、受信した新たなキーワードを基に、新たなお勧め番組表データＣ９Ａを生成して、その新しいお勧め番組表データＣ９Ａを送信してもよい。
【０１０４】
ステップＳＴ２３７において、ＰＤＡ２Ａの制御部２８ａは、ＳＴ２０６と略同様に、録画希望番組表データＣ２の更新を行う。
以下、ＰＤＡ２Ａの制御部２８ａの動作は、ステップＳＴ２０６以降の動作と略同様であるので、説明を省略する。
【０１０５】
ステップＳＴ３３７において、コンピュータ３の制御部３７ａは、チューナ部３２や通信部３４で受信した信号を基に、番組表データＣ１を更新して、番組表データＣ１およびキーワードＣ８Ａを基に、お勧め番組表データを更新する。
また、制御部３７ａは、録画希望番組表データＣ２Ａを基に、コンテンツデータ取得し、管理テーブルＴＢを基に、記憶装置２６内の識別情報に対応する記憶領域に書き込み、録画済番組表データを更新する。
また、制御部３７ａのそれ以降の動作は、ステップＳＴ３０６以降の動作と略同じであり説明を省略する。
【０１０６】
上述したように、第２実施形態では第１の実施形態と同様に複数のＰＤＡ２が１台のコンピュータ３を共用することが可能となるばかりでなく、コンピュータ３は、複数のＰＤＡ２それぞれから受信した、ユーザの嗜好を示す指標データであるキーワードを記憶し、そのキーワードを基にお勧め番組表データを生成して要求元のＰＤＡ２に送信する。
個々のユーザは、例えばオリジナルの番組表データＣ１内の膨大な番組の中から録画希望番組を選択する場合に比べ、番組数がキーワードによって絞り込まれたお勧め番組表データＣ９Ａを基に録画希望番組データを選択することで、制御部２８ａは録画希望番組表データＣ２Ａを高速に生成することができる。また、ユーザにとって番組の選択がはるかに容易になる。
【０１０７】
図２３は、本発明の第３実施形態に係るコンピュータの機能ブロック図である。図２４は、本発明の第３実施形態に係るＰＤＡの機能ブロック図である。
第３実施形態と上述した実施形態との相違点は、第３実施形態では、コンピュータ３は、キーワードを基に番組データを取得し、その後、ＰＤＡ２それぞれは、自ら録画番組予約を行うのではなく、コンピュータ３による録画済番組表データから、視聴したい番組データのみを転送希望番組表データとして選択する点である。相違点を中心に図面を参照しながら説明する。
【０１０８】
詳細には、本実施形態に係るコンピュータ３は、例えば図２３に示すように、アンテナ３１、チューナ部３２、赤外線送受信部３３、通信部３４、圧縮部３５、記憶装置３６、および制御部３７ｂを主構成要素として有する。
【０１０９】
また、本実施形態に係るＰＤＡ２は、例えば図２４示すように、赤外線データ送受信部２１、画像音声処理部２２、表示部２３、操作部２４、伸張部２５、記憶装置２６、識別情報記憶部（個体番号）２７、および制御部２８ｂを主構成要素として有する。
【０１１０】
図２５は、図２３，図２４に示した本発明の第３実施形態に係るコンピュータ３およびＰＤＡ２Ａのデータの流れを説明するための図である。図２６は、図２３，図２４に係るコンピュータ３およびＰＤＡ２Ａの動作を説明するための図である。図２５，２６を参照しながら、コンピュータ３およびＰＤＡ２Ａそれぞれの制御部の動作を中心に、第１および第２実施形態との相違点を中心に説明する。
【０１１１】
ステップＳＴ２４１において、ＰＤＡ２の制御部２８ｂは、ユーザによる操作に応じて操作部２４から、ユーザの嗜好を示す信号を基に、ユーザの嗜好を示す指標データ（キーワード）Ｃ８Ａを生成し、記憶装置２６に書き込む。この際、制御部２８ｂは、例えば予め複数のキーワードを設定しておき、操作部２４からの信号に応じて、その複数のキーワードのうちから所望のキーワードを選択することでキーワードＣ８Ａを生成してもよい。
【０１１２】
ステップＳＴ２４２において、ＰＤＡ２の制御部２８ｂは、記憶装置２６に書き込まれたキーワードＣ８Ａを読み出して、識別情報（個体番号ＩＤ＿Ａ）を含むキーワードＣ８Ａを、赤外線データ送受信部２１を介してコンピュータ３に送信する。
【０１１３】
ステップＳＴ３４１において、コンピュータ３の制御部３７ｂは、赤外線送受信部３３を介して、ＰＤＡ２Ａから個体番号ＩＤ＿Ａを含むキーワードＣ８Ａを受信すると、管理テーブルＴＢを基に記憶領域を確定し、記憶装置３６内の、個体番号ＩＤ＿Ａに対応する記憶領域３６ＡにキーワードＣ８Ａを書き込む。
【０１１４】
ステップＳＴ３４２において、制御部３７ｂは、嗜好の指標となる指標データ（キーワードＣ８Ａ）に基づいて、録画番組を決定する。
ステップＳＴ３４３において、制御部３７ｂは、ステップＳＴ３４２において決定した録画番組を、チューナ部３２や通信部３４を介して取得（録画）して、管理テーブルＴＢを基に、記憶装置３６内の、キーワードに含まれる個体番号ＩＤに対応する記憶領域３６Ａに書き込む。
【０１１５】
ステップＳＴ２４３において、ＰＤＡ２Ａの制御部２８ｂは、個体番号ＩＤを含む録画番組表データの要求を、赤外線データ送受信部２１を介してコンピュータ３に送信する。
【０１１６】
ステップＳＴ３４４において、コンピュータ３の制御部３７ｂは、赤外線送受信部３３を介して、個体番号ＩＤ＿Ａを含む個体番号を含む録画番組表データの要求を受信すると、管理テーブルＴＢを基に、個体番号ＩＤ＿Ａに対応する記憶領域３６Ａを確保して、記録領域３６Ａに書き込まれた録画済番組表データＣ３Ａを、赤外線送受信部３３を介して、個体番号ＩＤ＿Ａが割り当てられたＰＤＡ２Ａに送信する（ＳＴ３４５）。
【０１１７】
ステップＳＴ２４４において、ＰＤＡ２Ａの制御部２８ｂは、赤外線データ送受信部２１を介して録画済番組表データＣ３Ａを受信すると、記憶装置２６に書き込む。
ステップＳＴ２４５において、制御部２８ｂは、画像音声処理部２２を介して表示部２３に、録画済番組表データＣ３Ａに応じた録画済番組表画面を表示する。また、制御部２８ｂは、ユーザの操作に応じて操作部２４から入力された、録画済番組表データの中から転送希望番組を示す信号を基に、転送希望番組表データＣ４Ａを生成し、記憶装置２６内に書き込む。
【０１１８】
ステップＳＴ２４６において、制御部２８ｂは、個体番号ＩＤ＿Ａを含む転送希望番組表データＣ４Ａを、赤外線データ送受信部２１を介して、コンピュータ３に送信する。
ステップＳＴ３４７において、コンピュータ３の制御部３７ｂは、赤外線送受信部３３を介して、個体番号ＩＤ＿Ａを含む転送希望番組表データＣ４Ａを受信すると、個体番号ＩＤ＿Ａと管理テーブルＴＢを基に記憶領域３６Ａを確保し、記憶領域３６Ａに転送希望番組表データＣ４Ａを書き込む。
【０１１９】
制御部３７ｂは、記憶装置３６Ａに書き込まれた転送希望番組表データＣ４Ａを基に、記憶装置３６Ａから（録画済）番組データＣ６Ａを読み出して、赤外線送受信部３３を介して、転送希望番組表データＣ４Ａに含まれる個体番号ＩＤ＿Ａが割り当てられたＰＤＡ２Ａに送信する。
【０１２０】
ステップＳＴ２４７において、ＰＤＡ２Ａの制御部２８ｂは、赤外線データ送受信部２１を介して番組データＣ６Ａを受信すると、記憶装置２６内に記憶する。
【０１２１】
また、ステップＳＴ３４９において、コンピュータ３の制御部３７ｂは、録画済番組表データＣ３Ａを更新し、赤外線送受信部３３を介して、ＰＤＡ２Ａに送信する。
また、ステップＳＴ２４８において、ＰＤＡ２の御部２８ｂは、赤外線データ送受信部２１を介して録画済番組表データＣ３Ａを受信すると記憶装置２６内に記憶する。
【０１２２】
各制御部の以降の動作は、上述した第１および第２実施形態と略同じ動作なので説明を省略する。
【０１２３】
上述したように、第３実施形態では、第１の実施形態と同様に複数のＰＤＡ２が１台のコンピュータ３を共用することが可能となるばかりでなく、コンピュータ３は、複数のＰＤＡ２それぞれから個体番号ＩＤを含むキーワードを受信して、管理テーブルＴＢを基に書き込み、そのキーワードを基に自動的に番組（コンテンツデータ）を取得（記録）するので、個々のユーザは、自ら録画番組予約を行う必要が無く、録画済番組表データから視聴したい番組だけを転送希望番組データとして選択するだけで良いため、第２の実施形態に比べ、視聴したい番組の選択がはるかに容易になる。
【０１２４】
図２７は、本発明の第４実施形態に係るコンピュータ３の機能ブロック図である。図２８は、本発明に係る第４実施形態に係るＰＤＡ３の機能ブロック図である。第１〜第３実施形態との相違点を中心に図面を用いて説明する。
本実施形態に係るコンピュータ３は、例えば図２７に示すように、アンテナ３１、チューナ部３２、赤外線送受信部３３、通信部３４、圧縮部３５、記憶装置３６、制御部３７ｃ、操作部３８、画像音声処理部３９、および表示部３１０を主構成要素として有する。
【０１２５】
第４実施形態と第１〜第３実施形態との大きな相違点は、第４実施形態に係るコンピュータ３は、操作部３８、画像音声処理部３９、および表示部３１０を有する点である。
コンピュータ３の制御部３７ｃは、記憶装置３６内の所定の記憶領域に書き込まれた録画済番組表データの一覧を示す一覧データを画像音声処理部３９を介して表示部３１０に表示する。
また、制御部３７ｃは、その一覧データの中から、ＰＤＡ３に転送指示を行う（録画済）番組データ（コンテンツデータ）Ｃ１を、操作部３８（指示手段に相当する）を用いて指示させる画面を表示部３１０に表示させ、その画面に基づいて指示されたコンテンツデータの転送指示を生成し、その転送指示に応じて所定のＰＤＡ２に番組データを赤外線送受信部３３を介して送信する。
【０１２６】
本実施形態に係るＰＤＡ３は、例えば図２８に示すように、赤外線データ送受信部２１、画像音声処理部２２、表示部２３、操作部２４、伸張部２５、記憶装置２６、識別情報記憶部（個体番号）２７、および制御部２８ｃを主構成要素として有する。
【０１２７】
制御部２８ｃは、上述したようにコンピュータ３で指示された番組データを、赤外線データ送受信部２１を介して受信して、記憶装置２６に記憶する。
【０１２８】
図２９は、図２７，図２８に示したコンピュータ３およびＰＤＡ２の動作を説明するための図である。図３０は、図２７，図２８に示したコンピュータ３およびＰＤＡ２のデータの流れを説明するための図である。図２９，図３０を参照しながら、コンピュータ３および各ＰＤＡ２の制御部の動作を中心に説明する。
【０１２９】
ステップＳＴ２５１において、ＰＤＡ２の制御部２８ｃは、赤外線データ送受信部２１を介して、コンピュータ３に個体番号ＩＤを送信する。
【０１３０】
ステップＳＴ３５１において、コンピュータ３の制御部３７ｃは、赤外線送受信部３３を介して個体番号ＩＤを受信し、例えば操作部３８からキーワード要求を示す信号が入力されると、画像音声処理部３９を介して表示部３１０上に、キーワード入力を促す画面を表示する。
制御部３７ｃは、ユーザの操作に応じて、操作部３８からキーワードを示す信号が入力されると、そのキーワードを個体番号ＩＤに応じた記憶領域に書き込む（ＳＴ３５２）。
【０１３１】
ステップＳＴ３５３において、制御部３７ｃは、例えば番組表データ、および記憶装置３６内の記憶領域に書き込まれたキーワードに基づいて、キーワードに応じた番組データを自動的に録画、つまりチューナ部３２や通信部３４を介してキーワードに応じた番組データ（コンテンツデータ）を取得する。
【０１３２】
例えば、いくつかの番組データがコンピュータ３で取得された後、ステップＳＴ２５２において、ＰＤＡ２の制御部２８ｃは、赤外線データ送受信部２１を介して、個体番号ＩＤをコンピュータ３に送信する。
【０１３３】
ステップＳＴ３５４において、コンピュータ３の制御部３７ｃは、赤外線データ送受信部３３を介して、個体番号ＩＤを受信すると、管理テーブルＴＢに基づいて、記憶装置３６内の個体番号ＩＤに応じた記憶領域を確定する。
【０１３４】
図３１は、図２７に示したコンピュータ３の表示部が表示する画面の一具体例を示す図である。
ステップＳＴ３５５において、制御部３７ｃは、記憶装置３６内の記憶領域に書き込まれている（記録済）番組データの一覧を示す一覧データを画像音声処理部３９を介して表示部３１０に表示させる。例えば図３１に示すように、制御部３７ｃは、（記録済）番組データの一覧を示す画面６３０を、画像音声処理部３９を介して表示部３１０に表示させる。
【０１３５】
ステップＳＴ３５６において、制御部３７ｃは、記憶装置３６に書き込まれたコンテンツデータの一覧を示す一覧データの中から、ＰＤＡ２Ａに転送指示を行うコンテンツデータを、操作部３８（指示手段に相当する）を用いて指示させる画面６３０を表示部３１０に表示させ、画面に基づいて指示されたコンテンツデータの転送指示を生成する。
詳細には、例えば図３１に示すように、制御部３７ｃは、画面６３０中の一覧画面から、操作部３８からユーザによる操作、例えば図３に示す上操作ボタン２４１や下操作ボタン２４４を操作して、所望の転送させる番組データ（コンテンツデータ）を選択し、確定操作ボタン２４５が操作されると、転送指示を示すＴを画面に表示させて、コンテンツデータの転送指示を生成する。
【０１３６】
ステップＳＴ３５７おいて、制御部３７ｃは、生成した転送指示に基づいて、転送希望番組データを赤外線送受信部３３を介して、ステップＳＴ３５４による個体番号ＩＤが割り当てられたＰＤＡ２に送信する。
【０１３７】
ステップＳＴ２５３において、ＰＤＡ２Ａの制御部２８ｃは、赤外線データ送受信部２１を介して、転送希望番組データＣ６Ａを受信すると、記憶装置２６に記憶する。
【０１３８】
ステップＳＴ３５８において、コンピュータ３の制御部３７ｃは、転送済み番組表データＣ５Ａを更新し、転送済み番組表データＣ５Ａを赤外線送受信部３３を介してステップＳＴ３５４による個体番号ＩＤが割り当てられたＰＤＡ２に送信する。
【０１３９】
ステップＳＴ２５４において、ＰＤＡ２Ａの制御部２８ｃは、赤外線データ送受信部２１を介して、転送済み番組表データＣ５Ａを受信すると、記憶装置２６に記憶する。
ステップＳＴ２５５において、制御部２８ｃは、記憶装置２６に書き込まれた番組データＣ６Ａを、画像音声処理部２２を介して表示部２３に表示、再生する。
【０１４０】
また、ステップＳＴ３５９において、コンピュータ３の制御部３７ｃは、記憶装置３６の記憶領域に書き込まれているキーワードに基づいて、自動的にコンテンツを取得（録画）する。
【０１４１】
以下、制御部３７ｃ、制御部２８の動作は、第１〜第３実施形態と略同様であるので、説明を省略する。
【０１４２】
以上説明したように、本実施形態では、第１実施形態と同様に複数のＰＤＡ２が１台のコンピュータ３を共用することが可能となるばかりでなく、コンピュータ３は、複数のＰＤＡ２それぞれに対応したキーワードを記憶し、そのキーワードを基に番組データを取得する。個々のユーザは、自ら録画番組予約を行う必要が無く、かつコンピュータ３の表示部３１０に表示される録画済番組表の中から視聴したい番組データだけを転送希望番組データとして選択するだけで良いため、第３実施形態と比べて、視聴したい番組の選択が容易になる。
【０１４３】
図３２は、本発明の第５実施形態に係るコンピュータの機能ブロック図である。
本実施形態に係るコンピュータ３は、第４実施形態と比べて伸張部３１１を有している点が大きな相違点である。以下図面を参照しながら説明する。
【０１４４】
本実施形態に係るコンピュータ３は、例えば図３２に示すように、アンテナ３１、チューナ部３２、赤外線送受信部３３、通信部３４、圧縮部３５、記憶装置３６、制御部３７ｄ、操作部３８、画像音声処理部３９、表示部３１０、および伸張部３１１主構成要素として有する。
伸張部３１１は、選択された（録画済）番組データを伸張して、画像音声処理部３９を介して、番組データを表示部３１０に表示させる。
その他の構成要素は、第４実施形態と略同じであるので説明を省略する。
また、本実施形態に係るＰＤＡ２は、第４実施形態と同じであるので説明を省略する。
【０１４５】
図３３は、図３２に示したコンピュータ３とＰＤＡ２の動作を説明するための図である。図３３を参照しながら、図２９に示した第４実施形態との相違点を中心に説明する。
図２９に示した第４実施形態との相違点は、ステップＳＴ３５５Ａである。
ステップＳＴ３５５Ａにおいて、制御部３７ｄは、記憶装置３６内の記憶領域に書き込まれている（記録済）番組データの一覧を示す一覧データを、画像音声処理部３９を介して表示部３１０に表示させる。例えば図３１に示すように、制御部３７ｃは、（記録済）番組データの一覧を示す画面６３０を、画像音声処理部３９を介して表示部３１０に表示させる。
【０１４６】
制御部３７ｄは、ユーザによる操作部３８の操作により、表示部３１０上に表示された画面の中から視聴したい番組が選択されると、選択された番組データを記憶装置３６から読出し、伸張部３１１に供給する。伸張部３１１は選択された録画済番組データを伸張し、画像音声処理部３９を介して表示部３１０上に所定の再生速度で表示、再生を行う。
ここでユーザは、表示された番組を見て、それがＰＤＡ２に転送したい番組であった場合、操作部３８を操作して転送指示を行うことにより、制御部３７ｄは、指示された録画済番組データを赤外線送受信部３３を介してＰＤＡ２に送信する。
なお、このとき伸張部３１１は、録画時と同じ時間をかけて伸張し、再生を行ってもよいが、好適には録画時よりも早い時間で再生を行う、いわゆるＮ倍速再生（Ｎ＞１）で行うと、転送したい番組をすばやく確認し、転送するか否かの決定を短時間に行うことができる。
その他の動作は、第４実施形態と略同様であるので説明を省略する。
【０１４７】
以上説明したように、第５実施形態では、ユーザは、コンピュータ３の表示部３１０に表示される録画済番組表の中から視聴したい番組を選択すると、制御部３７ｄは、表示部３１０上に再生もしくはＮ倍速再生（Ｎ＞１）を行い、選択した番組が転送希望番組であった場合、ユーザの操作により操作部３８から選択番組を示す信号が入力されると、その選択した番組データをＰＤＡ３に転送することで、第４の実施形態に比べ、更に視聴したい番組の選択が容易になる。
【０１４８】
なお、本発明は本実施形態に限られるものではなく、任意好適な改変が可能である。
例えば、ＰＤＡ３とコンピュータ３は、赤外線通信により通信を行ったが、この形態に限られるものではない。通信可能であれば、所定の無線方式や有線方式であってもよい。
【０１４９】
また、本実施形態の処理手順に限られるものではない。また、上述した各実施形態を組み合わせることにより、本発明を実現してもよい。
【産業上の利用可能性】
【０１５０】
本発明は、コンテンツデータに係わる処理を行う携帯型通信装置を用いたシステムに利用可能である。
【図面の簡単な説明】
【０１５１】
【図１】本発明の一実施形態に係る携帯型通信装置およびデータ処理装置を採用した通信システム１の構成図である。
【図２】図１に示したＰＤＡ２の構成図である。
【図３】図２に示したＰＤＡの正面側の概観図である。
【図４】図１に示したコンピュータ３の構成図である。
【図５】図４に示したコンピュータ３の管理テーブルＴＢを説明するための図である。
【図６】図１に示した通信システム１のデータの流れを説明するための図である。
【図７】図１に示した通信システム１の動作を説明するための図である。
【図８】図１に示したコンピュータ３の動作の一具体例を説明するための図である。
【図９】図３に示したＰＤＡの表示部のディスプレイに表示されるメニュー画面を説明するための図である。
【図１０】図３に示したＰＤＡの表示部のディスプレイに表示される録画希望番組日付選択画面を説明するための図である。
【図１１】図３に示したＰＤＡの表示部のディスプレイに表示される録画希望番組設定画面を説明するための図である。
【図１２】図３に示したＰＤＡの表示部のディスプレイに表示される録画希望番組表画面を説明するための図である。
【図１３】図１に示した通信システム１の動作を説明するための図である。
【図１４】図３に示したＰＤＡの表示部のディスプレイに表示される録画済番組表画面を説明するための図である。
【図１５】図３に示したＰＤＡの表示部のディスプレイに表示される転送希望番組表画面を説明するための図である。
【図１６】図３に示したＰＤＡの表示部のディスプレイに表示される転送済番組表画面を説明するための図である。
【図１７】図１に示した通信システム１の動作を説明するための図である。
【図１８】本発明の第２実施形態に係るコンピュータの機能ブロック図である。
【図１９】第２実施形態に係るキーワードとお勧め番組表データの一具体例を示すデータである。（Ａ）は第２実施形態に係るキーワードの一具体例である。（Ｂ）に示したキーワードに関連した、お勧め番組表データの一具体例を示す図である。
【図２０】本発明の第２実施形態に係るＰＤＡの機能ブロック図である。
【図２１】図１８〜図２０に示した本発明の第２実施形態に係るコンピュータ３およびＰＤＡ２Ａのデータの流れを説明するための図である。
【図２２】図１８〜図２０に係るコンピュータ３およびＰＤＡの動作を説明するための図である。
【図２３】本発明の第３実施形態に係るコンピュータの機能ブロック図である。
【図２４】本発明の第３実施形態に係るＰＤＡの機能ブロック図である。
【図２５】図２３，図２４に示した本発明の第３実施形態に係るコンピュータ３およびＰＤＡ２Ａのデータの流れを説明するための図である。
【図２６】図２３，図２４に係るコンピュータ３およびＰＤＡ２Ａの動作を説明するための図である。
【図２７】本発明の第４実施形態に係るコンピュータ３の機能ブロック図である。
【図２８】本発明に係る第４実施形態に係るＰＤＡ３の機能ブロック図である。
【図２９】図２７，図２８に示したコンピュータ３およびＰＤＡ２の動作を説明するための図である。
【図３０】図２７，図２８に示したコンピュータ３およびＰＤＡ２のデータの流れを説明するための図である。
【図３１】図２７に示したコンピュータ３の表示部が表示する画面の一具体例を示す図である。
【図３２】本発明の第５実施形態に係るコンピュータの機能ブロック図である。
【図３３】図３２に示したコンピュータ３とＰＤＡ２の動作を説明するための図である。
【符号の説明】
【０１５２】
１…通信システム、２，２Ａ，２Ｂ，２Ｃ…ＰＤＡ、３…コンピュータ（データ処理装置）、２１…赤外線データ送受信部、２２…画像音声処理部、２３…表示部、２４…操作部、２５…伸張部、２６…記憶装置、２７…識別情報記憶部（個体番号ＩＤ）、２８…制御部、３１…アンテナ、３２…チューナ部、３３…赤外線送受信部、３４…通信部、３５…圧縮部、３６…記憶装置３６…制御部、３８…操作部、３９…画像音声処理部、３１０…表示部、３１１…伸張部。
【図１】
2005259045.tif 000003
【図２】
2005259045.tif 000004
【図３】
2005259045.tif 000005
【図４】
2005259045.tif 000006
【図５】
2005259045.tif 000007
【図６】
2005259045.tif 000008
【図７】
2005259045.tif 000009
【図８】
2005259045.tif 000010
【図９】
2005259045.tif 000011
【図１０】
2005259045.tif 000012
【図１１】
2005259045.tif 000013
【図１２】
2005259045.tif 000014
【図１３】
2005259045.tif 000015
【図１４】
2005259045.tif 000016
【図１５】
2005259045.tif 000017
【図１６】
2005259045.tif 000018
【図１７】
2005259045.tif 000019
【図１８】
2005259045.tif 000020
【図１９】
2005259045.tif 000021
【図２０】
2005259045.tif 000022
【図２１】
2005259045.tif 000023
【図２２】
2005259045.tif 000024
【図２３】
2005259045.tif 000025
【図２４】
2005259045.tif 000026
【図２５】
2005259045.tif 000027
【図２６】
2005259045.tif 000028
【図２７】
2005259045.tif 000029
【図２８】
2005259045.tif 000030
【図２９】
2005259045.tif 000031
【図３０】
2005259045.tif 000032
【図３１】
2005259045.tif 000033
【図３２】
2005259045.tif 000034
【図３３】
2005259045.tif 000035